(57)【要約】【課題】端末ピンと高圧端子との確実な電気的接続を確保した内燃機関用点火コイルを提供する。【解決手段】絶縁ケース６の収容部６１から外へ向けて連設された筒状の高圧筒部６２に収容される高圧端子を、二次コイルの端末部としての端末ピン７が直接接続する第１高圧端子８Ａと、この第１高圧端子８Ａを挟持しつつ第１高圧端子８Ａと接続する第２高圧端子８Ｂとで構成し、内燃機関用点火コイルを構成する。【選択図】図１
2010118601.tif 000002
【特許請求の範囲】
【請求項１】
一次コイル、二次コイル、この二次コイル及び前記一次コイルと磁気的に結合する鉄心が収容される収容部と、この収容部から外へ向けて連設され、前記二次コイルの端末部が接続される高圧端子を収容する筒状の高圧筒部とを備えた絶縁ケース内に、これらの構成部品をそれぞれ収容し、絶縁樹脂を充填して構成した内燃機関点火コイルにおいて、
前記高圧端子は、前記二次コイルの端末部が直接接続する第１高圧端子と、この第１高圧端子を挟持しつつ前記第１高圧端子と接続する第２高圧端子とからなる、
ことを特徴とする内燃機関用点火コイル。
【請求項２】
前記第１高圧端子は、分岐部を備えた挟み金具様の形状を有し、前記第２高圧端子に挟持されることにより、前記分岐部に前記二次コイルの端末部が止着される、
ことを特徴とする請求項１に記載の内燃機関用点火コイル。
【請求項３】
前記第２高圧端子は、導電性の表面を有する空洞部を備えた筒状金具であって、前記空洞部にて前記第１高圧端子を挟持する、
ことを特徴とする請求項１又は請求項２に記載の内燃機関用点火コイル。
【発明の詳細な説明】
【技術分野】
【０００１】
本発明は、例えば、自動車等のエンジンの点火プラグに火花放電を発生させるための高電圧を供給する内燃機関用点火コイルに関し、二次コイルの端末部と高圧端子との電気的接続を確保して信頼性向上の期待に応える内燃機関用点火コイルに関する。
【背景技術】
【０００２】
従来、内燃機関用点火コイルにおける二次コイルの端末部と高圧端子との接続は、それぞれの部品の弾性を利用した圧接により成立していた。具体的には、二次コイルの端末部を針金状の端末ピンとし、その先端を、絶縁ケースに設けられた高圧筒部へ延伸させて、この高圧筒部に収容される高圧端子に押し付けていた。
【０００３】
このような内燃機関用点火コイルでは、稼働時に内部温度が上昇して絶縁ケース内に充填された絶縁樹脂に熱応力が発生すると、この熱応力が端末ピンと高圧端子との接触を断ち切る方向に作用した場合に導通不良が起こる問題があった。
【０００４】
そこで、二次コイルが巻回された二次コイルボビンに端末ピン保持部を設け、この端末ピン保持部により端末ピンを高圧端子に押し付けて電気的接続を確保することを目的とした発明が、下記特許文献１に提案されている。
【特許文献１】特開２００８−１３５４９４号公報
【０００５】
特許文献１に係る発明における内燃機関用点火コイル１０は、図２に示すように、一次コイルボビン１１に電線が巻回されてなる一次コイル１２、及び、二次コイルボビン１３に電線が巻回されてなる二次コイル１４と、この二次コイル１４及び一次コイル１２を磁気的に結合する鉄心１５と、これらを収容するとともに、下部に高圧端子１８を収容する高圧筒部１６１を設けた絶縁ケース１６とを備え、特に、図３に示すように、二次コイルボビン１３には、鍔部１３ａを延設して端末ピン保持部１９を形成し、二次コイル１４の端末部を針金状の端末ピン１７として、端末ピン保持部１９で端末ピン１７を高圧端子１８に押し付けて構成したものであるので、端末ピン保持部１９によって端末ピン１７を確実に高圧端子１８に接触させることができ、点火コイルの稼働時に発生する絶縁樹脂の熱応力で導通不良を起こすこと等を未然に防止することができるものとなった。
【発明の開示】
【発明が解決しようとする課題】
【０００６】
しかし、内燃機関用点火コイルへの信頼性向上に対する要請は普遍的にあり、特許文献１（図２又は図３）のように、圧接若しくは押し付けによって端末ピン１７と高圧端子１８とを接続するという従来からの技術的思想の延長線上では、何らかの原因により導通不良が発生するというおそれを完全に回避することができないという課題がある。
【０００７】
本発明は、上記実情に鑑み提案されたもので、端末ピン、即ち、二次コイルの端末部と高圧端子との接続技術を新たな思想により創作し、具体的には、高圧端子の構造を工夫して、二種類の高圧端子を組み合わせることにより、二次コイルの端末部と高圧端子との電気的接続を確保し、信頼性向上の期待に応えることができる内燃機関用点火コイルを提供することを目的とする。
【課題を解決するための手段】
【０００８】
上記目的を達成するため、本発明は、一次コイル、二次コイル、この二次コイル及び前記一次コイルと磁気的に結合する鉄心が収容される収容部と、この収容部から外へ向けて連設され、前記二次コイルの端末部が接続する高圧端子を収容する筒状の高圧筒部とを備えた絶縁ケース内に、これらの構成部品をそれぞれ収容し、絶縁樹脂を充填して構成した内燃機関点火コイルにおいて、前記高圧端子は、前記二次コイルの端末部が直接接続する第１高圧端子と、この第１高圧端子を挟持しつつ前記第１高圧端子と接続する第２高圧端子とからなる、ことを特徴とする。
【０００９】
特に、第１高圧端子は、分岐部を備えた挟み金具様の形状を有し、第２高圧端子に挟持されることにより、分岐部に二次コイルの端末部が止着されるものであることが好ましい。
【００１０】
また、第２高圧端子は、導電性の表面を有する空洞部を備えた筒状金具であって、空洞部にて第１高圧端子を挟持するものであることが好ましい。
【発明の効果】
【００１１】
本発明では、高圧端子を、二次コイルの端末部が直接接続する第１高圧端子と、この第１高圧端子を挟持しつつ第１高圧端子と接続する第２高圧端子とからなるものとしたので、まず、第１高圧端子が二次コイルの端末部と直接接続するものとし、さらに、第二高圧端子を、第１高圧端子を挟持しつつ、これと接続するものとしたため、点火コイルの稼働時に発生する絶縁樹脂の熱応力、エンジン稼働時の振動、絶縁樹脂を充填する際の不手際等に基づいて二次コイルの端末部と高圧端子とが導通不良になることがなく、二次コイルの端末部と高圧端子との電気的接続を確保することができる。
【００１２】
特に、第１高圧端子を、分岐部を備えた挟み金具様の形状を有し、第２高圧端子に挟持されることにより、分岐部に二次コイルの端末部が止着されるものとしたので、二次コイルの端末部が分岐部にて、挟み込まれるようにして確実に第１高圧端子と接続することができるため、二次コイルの端末部と高圧端子との間の導通不良等を確実に防止することが可能となる。
【００１３】
さらに、第２高圧端子を、導電性の表面を有する空洞部を備えた筒状金具であって、空洞部にて第１高圧端子を挟持するものとしたので、第１高圧端子を確実に挟持することができ、かつ、第１高圧端子との電気的接続を確実に確保することが可能となるため、二次コイルの端末部と高圧端子との間の導通をいよいよ確実にすることができる。
【００１４】
すなわち、本発明では、内燃機関用点火コイルにおける高圧端子を、分岐部を備えた挟み金具様の形状を有し、第２高圧端子に挟持されることにより、分岐部に二次コイルの端末部を止着して二次コイルの端末部と直接接続する第１高圧端子と、導電性の表面を有する空洞部を備えた筒状金具であって、空洞部にて第１高圧端子を挟持しつつ第１高圧端子と接続する第２高圧端子とからなるものとしたので、二次コイルの端末部を挟み込むようにして第１高圧端子の分岐部に確実に接続（止着）させることができ、この二次コイルの端末部に接続した第１高圧端子を第２高圧端子の空洞部にて挟み込むようにして確実に接続することができるため、二次コイルの端末部と高圧端子との間の導通不良等を確実に防止することが可能な内燃機関用点火コイルを提供することができる。
【発明を実施するための最良の形態】
【００１５】
以下、本発明に係る内燃機関用点火コイルの一実施形態を図面に基づいて説明する。
図１は、本発明に係る内燃機関用点火コイルの要部拡大断面図であって、二次コイルの端末部と高圧端子との接続の関係を示す縦断面図であり、（ａ）は、二次コイルの端末部と第１高圧端子との接続の様子と、この第１高圧端子を第２高圧端子の空洞部に挿入する様子とを説明する要部拡大断面図、（ｂ）は、第１高圧端子と第２高圧端子との接続の様子を説明する要部拡大断面図である。なお、図２及び図３に従来例として示した内燃機関用点火コイルと同一又は相当部分には、同一符号を付して説明を省略する。
【００１６】
本発明に係る内燃機関用点火コイルは、絶縁ケースの収容部内に、少なくとも一次コイル、二次コイル、この二次コイル及び一次コイルと磁気的に結合する鉄心が収容されるとともに、この絶縁ケースの収容部から外へ向けて連設された筒状の高圧筒部に高圧端子が収容されて、続いて、絶縁ケース内に絶縁樹脂が充填されて構成されている。特に、図１に示すように、本発明に係る内燃機関用点火コイル１は、絶縁ケース６の収容部６１から外へ向けて連設された筒状の高圧筒部６２に収容される高圧端子が、二次コイルの端末部としての端末ピン７が直接接続する第１高圧端子８Ａと、この第１高圧端子８Ａを挟持しつつ第１高圧端子８Ａと接続する第２高圧端子８Ｂとから構成されている。
【００１７】
なお、図１において図示されない構成部品については、一次コイルボビンに巻回された一次コイル及び二次コイルボビンに巻回された二次コイルと、これら二つのコイルを磁気的に結合させる鉄心が絶縁ケース６の収容部６１に収容されていること、これらが絶縁ケース１６内に充填された絶縁樹脂によって固定保持されていることにおいて、従来と同様である。
【００１８】
第１高圧端子８Ａは、図１（ａ）に示すように、分岐部８Ａａを有する略Ｙ字状の形状を有する挟み金具であって、導電性のものである。さらに、図１（ｂ）に示すように、第１高圧端子８Ａは、筒状の第２高圧端子８Ｂの空洞部８Ｂａに挟持されることにより、略Ｙ字状の分岐部８Ａａから拡開する両先端部８Ａｂが分岐部８Ａａに比べて特に押さえ付けられて、二次コイルの端末部の端末ピン７が分岐部８Ａａにて止着され、二次コイルの端末部の端末ピン７と確実に電気的に接続されるようになる。
【００１９】
第２高圧端子８Ｂは、図１（ａ）に示すように、導電性の表面を有する空洞部８Ｂａを備えた筒状金具であって、空洞部８Ｂａにて第１高圧端子８Ａを挟持している。また、空洞部８Ｂａは、空洞部底面８Ｂｂを有し、略Ｙ字状の形状の第１高圧端子８Ａの全体を、空洞部８Ｂａの入り口以外の領域で包囲しつつ挟持している。なお、第２高圧端子８Ｂの最底部は、従来の高圧端子の最底部と同様、図示しない点火プラグと導電体を介して電気的に接続する点火プラグ接続部８Ｂｃとして機能する。
【００２０】
ここで、本発明に係る内燃機関用点火コイルにおける二次コイルの端末部と高圧端子との確実な接続の仕方を、図１に基づいて説明する。
【００２１】
まず、絶縁ケース６の収容部６１に各種の構成部品を所定の位置に収容した後、図１（ａ）に示すように、二次コイルの端末部の端末ピン７を絶縁ケース６の高圧筒部６２付近に配設する。次に、第１高圧端子８Ａを、絶縁ケース６の高圧筒部６２の下方から高圧筒部６２へ、略Ｙ字状の分岐部８Ａａから拡開する両先端部８Ａｂの側を上方に向けて挿入するとともに、分岐部８Ａａに二次コイルの端末部の端末ピン７を接触させる。
さらに、第２高圧端子８Ｂを、絶縁ケース６の高圧筒部６２の下方から高圧筒部６２へ、空洞部８Ｂａの入り口がある側を上方に向けて挿入するとともに、この空洞部８Ｂａに第１高圧端子８Ａを、分岐部８Ａａに二次コイルの端末部の端末ピン７を接触させた状態で挿入する。
【００２２】
そうすると、図１（ｂ）に示すように、第１高圧端子８Ａは略Ｙ字状の形状の全体が、筒状の第２高圧端子８Ｂの空洞部８Ｂａに挟持される。特に、第１高圧端子８Ａの両先端部８Ａｂが分岐部８Ａａに比べて第２高圧端子８Ｂの空洞部８Ｂａの表面によって押さえ付けられ、二次コイルの端末部の端末ピン７が第１高圧端子８Ａの分岐部８Ａａにて止着されて、第１高圧端子８Ａは、確実に二次コイルの端末部の端末ピン７と電気的に接続される。また、第２高圧端子８Ｂは、略Ｙ字状の形状の第１高圧端子８Ａの全体を、空洞部８Ｂａの入り口以外の領域で包囲して挟持しつつ、第１高圧端子８Ａと電気的にも接続されるようになる。
この後は、従来と同様であって、内燃機関用点火コイル１がエンジンのプラグホール内の点火プラグへ電気的に接続される。すなわち、本発明の内燃機関用点火コイル１は、二次コイルの端末部と高圧端子との間の導通不良等を確実に防止することを可能にして点火プラグに高電圧を供給することができるようになる。
【００２３】
本発明に係る内燃機関用点火コイル１は、高圧端子を、分岐部８Ａａを備えた挟み金具様の形状を有し、第２高圧端子８Ｂに挟持されることにより、分岐部８Ａａに二次コイルの端末部の端末ピン７を止着して、この端末ピン７と直接接続する第１高圧端子と、導電性の表面を有する空洞部８Ｂａを備えた筒状金具であって、空洞部８Ｂａにて第１高圧端子８Ａの全体を挟持しつつ、第１高圧端子８Ａと接続する第２高圧端子８Ｂとからなるものとしたので、二次コイルの端末部の端末ピン７を挟み込むようにして第１高圧端子８Ａの分岐部８Ａａに確実に接続（止着）させることができ、この端末ピン７に接続した第１高圧端子８Ａの全体を、第２高圧端子８Ｂの空洞部８Ｂａにて挟み込むようにして確実に接続することができるため、二次コイルの端末部と高圧端子との間の導通不良等を確実に防止することが可能な内燃機関用点火コイル１を提供することができる。
【００２４】
以上、本発明の実施例を詳述したが、本発明は、上記実施例に限定されるものではない。そして、本発明は、特許請求の範囲に記載された事項を逸脱することがなければ、種々の設計変更を行うことが可能である。
【００２５】
本発明は、特許請求の範囲に記載された事項を逸脱しなければ、内燃機関用点火コイルの形状を変えることも可能である。また、本発明の内燃機関用点火コイル等に使用する材質等は、公知または周知の素材を使用できることはいうまでもない。
【図面の簡単な説明】
【００２６】
【図１】本発明に係る内燃機関用点火コイルの要部拡大断面図であって、二次コイルの端末部と高圧端子との関係を示す縦断面図であり、（ａ）は、二次コイルの端末部と第１高圧端子との接続の様子と、この第１高圧端子を第２高圧端子の空洞部に挿入する様子をと説明する要部拡大断面図、（ｂ）は、第１高圧端子と第２高圧端子との接続の様子を説明する要部拡大断面図である。
【図２】従来の内燃機関用点火コイルにおける高圧端子と端末ピンとの関係を示す縦断面図である。
【図３】図２の要部拡大断面図である。
【符号の説明】
【００２７】
１      内燃機関用点火コイル
６      絶縁ケース
６１    収容部
６２    高圧筒部
７      端末ピン
８Ａ    第１高圧端子
８Ａａ  分岐部
８Ａｂ  両先端部
８Ｂ    第２高圧端子
８Ｂａ  空洞部
８Ｂｂ  空洞部底面
８Ｂｃ  点火プラグ接続部
１０    従来の内燃機関用点火コイル
１１    一次コイルボビン
１２    一次コイル
１３    二次コイルボビン
１３ａ  鍔部
１４    二次コイル
１５    鉄心
１６    絶縁ケース
１６１  高圧筒部
１７    端末ピン
１８    高圧端子
１９    端末ピン保持部
【図１】
2010118601.tif 000003
【図２】
2010118601.tif 000004
【図３】
2010118601.tif 000005